(57)【要約】【課題】本発明は、上記の問題に基づいてなされたものであり、フィルタの厚みとフィルタの洗浄に使用した液体の溜まり難い構造を両立させることで、空気清浄機の性能を十分に確保しつつ、フィルタの洗浄に使用した液体の溜まり難い構造で乾燥時間を短縮することができ、そのため雑菌などの繁殖も抑制できる空気清浄機を提供することを目的とする。【解決手段】本発明は、洗浄可能なフィルタを利用して空気を浄化する機能を備えた空気清浄機において、フィルタを洗浄しその洗浄に使用した液体をフィルタ内部に溜め難い構造として、排出し易い構造を有したことを特徴とする。【選択図】図２
2008061902.tif 000002
【特許請求の範囲】
【請求項１】
フィルタを利用して空気を浄化する機能を備えた空気清浄機において、前記フィルタは、液体を使用して洗浄することができ、かつ、洗浄後にフィルタを乾燥させて使用することが望ましいフィルタを有したことを特徴とする空気清浄機。
【請求項２】
フィルタを利用して空気を浄化する機能を備えた空気清浄機において、前記フィルタは、液体を使用して洗浄することができ、かつ、洗浄後にフィルタに付着した液体を除去する水切りをおこない使用することが望ましいフィルタを有したことを特徴とする空気清浄機。
【請求項３】
請求項１〜２の何れに記載された空気清浄機において、フィルタ内部に液体が浸透し、かつフィルタ内部にその液体が溜まる袋状の構造を有した空気清浄機。
【請求項４】
フィルタを利用して空気を浄化する機能を備えた空気清浄機において、前記フィルタは、液体に浸漬することで、フィルタ機能の向上や回復がはかれ、かつフィルタを乾燥させて使用することが望ましいフィルタを有したことを特徴とする空気清浄機。
【発明の詳細な説明】
【技術分野】
【０００１】
本発明は、空気中の埃や塵等の微粒子、臭いやホルムアルデヒド等の成分物質を除去する空気清浄機に関する。
【背景技術】
【０００２】
空気清浄機は、フィルタを利用して空気を浄化する方式が広く普及しており、このフィルタは除去された成分物質が堆積することで、性能が低下する。このため、この性能を回復するためや、性能維持のために、フィルタを洗浄することが可能なものがあり、例えば、特開２００４−６６１１１公報（特許文献１）に示すような構造である。
【０００３】
フィルタは成分物質を除去するために、多くは内部に吸着材を有しているが、この吸着材を確保するために、ある厚みを有した空間が必要であり、この厚みが吸着材の量と比例している。このような事柄から、フィルタはほとんどが箱形形状となっており、吸着材を充分に確保できる構造となっている。しかし、吸着材を確保できる空間は、フィルタを洗浄した後、フィルタ内部に洗浄に使用した液体も溜まり易い構造である。このために、乾燥時間がかかり、その間空気清浄機の運転もできないものであった。
【０００４】
【特許文献１】特開２００４−６６１１１号公報
【発明の開示】
【発明が解決しようとする課題】
【０００５】
従来の空気清浄機は、洗浄可能なフィルタにおいて、性能を確保するための吸着材によるフィルタの厚みと、性能維持のために洗浄しその後の洗浄に使用した液体が溜まり難い構造とは、反することである。フィルタの洗浄後に、フィルタ内部に洗浄に使用した液体が溜まり、放置されると雑菌などの繁殖もおこることから衛生面も問題視される。
【０００６】
本発明の目的は、上記の問題に基づいてなされたものであり、フィルタの厚みとフィルタの洗浄に使用した液体の溜まり難い構造を両立させることで、空気清浄機の性能を十分に確保しつつ、フィルタの洗浄に使用した液体の溜まり難い構造で乾燥時間を短縮することができ、そのため雑菌などの繁殖も抑制できる空気清浄機を提供することを目的とする。
【課題を解決するための手段】
【０００７】
本発明は、洗浄可能なフィルタを利用して空気を浄化する機能を備えた空気清浄機において、フィルタを洗浄しその洗浄に使用した液体をフィルタ内部に溜め難い構造として、排出し易い構造を有したことを特徴とした空気清浄機。
【発明の効果】
【０００８】
本発明によれば、洗浄後も液体が内部に滞留し難い構造であることから、液体がフィルターの外へ排出され易いため、乾燥しやすく、雑菌などの繁殖も抑制できる空気清浄機を提供できる。
【発明を実施するための最良の形態】
【０００９】
本発明の実施例について、図面を引用して説明する。
【００１０】
まず、空気清浄機の概要について、図１を引用して述べる。
【００１１】
空気清浄機本体１０１は、主部枠体１０２と後部枠体１０３を有する。主部枠枠１０２の前面には、前パネル１０４が取り付けられる。
【００１２】
空気清浄機本体１０１は、内部にフィルタユニット１０５、気化フィルタ１０６、ファンモータ１０７を備える。フィルタユニット１０５、気化フィルタ１０６は、主部枠１０２側に位置する。ファンモータ１０７は、後部枠体１０３側に位置する。ファンモータ１０７は、ターボファン１０７ａ、電動機１０７ｂを有する。
【００１３】
後部枠体１０３は、内部にファンケーシング１０８を有する。ファンケーシング１０８内にファンモータ１０７が置かれる。ターボファン１０７ａに吸い込み流を導く吸い込み案内口部材１０９は、主部枠体１０２に形成される。
【００１４】
制御装置１１０は、主部枠体１０２の前側上部に備えられる。この制御装置１１０により、空気清浄機の運転が制御される。表示装置（図示せず）は、制御装置１１０の近くに設けられる。
【００１５】
空気は、前パネル１０４の吸気口１１１から吸い込まれ、フィルタユニット１０５内を流通して塵埃の除去が行なわれる。また、空気に含まれる臭いやホルムアルデヒド等の成分物質を除去する。
【００１６】
気化フィルタ１０６は、塵埃や臭いやホルムアルデヒド等の成分物質が除去された空気に水分を加湿する。そして、ファンモータ１０７に吸い込まれた空気は、送風口１１２から空気清浄機の外部に送風される。
【００１７】
図２に沿ってフィルタユニット１０５について説明する。
【００１８】
図１の前パネル１０４を空気清浄機本体１０１より取り外すことで、フィルタユニット１０５は、空気清浄機本体１０１から容易に取り外すことができる。このフィルタユニット１０５は、洗浄可能な洗える脱臭フィルタ２０１と、洗えないフィルタである集塵フィルタ２０２の２枚のフィルタより構成されている。
【００１９】
集塵フィルタ２０２は、上流側に集塵フィルタ部２０３、下流側に混合フィルタ部２０４を有し、分割されないように一体となっている。混合フィルタ部２０４は、活性炭の粒とゼオライトの粒を混ぜて形成する。
【００２０】
集塵フィルタ部２０３は、濾材を波形に折り畳んだ形状を有し、空気中の塵埃を捕集する機能を有する。集塵フィルタ部に、殺菌成分を含有させることも可能である。このため、アレルゲン、ウイルス、浮遊菌やカビ、塵埃などを除去できる。
【００２１】
活性炭の粒、およびゼオライトの粒は極小孔を有する多孔体である。このため、混合フィルタ部２０４は、アンモニア臭、ホルムアルデヒドを吸着する。ゼオライトは、親水性であり、疎水性である活性炭と併用することで、お互い吸着し難い成分物質を補完し合うため効果的である。
【００２２】
洗える脱臭フィルタ２０１は、比較的大きな綿ごみや髪の毛などを捕集するネット２０５と洗える脱臭部２０６があり、これを保持するための洗える枠体２０７で構成される。脱臭部２０６には、ゼオライトの粉体を固定することができる支持体２０８の表面にゼオライトが固定され、洗浄にも耐えうる固定力を有す。このゼオライトは、先の混合フィルタ２０４の粒状のものと組成は同じであるが、粉体とすることで表面積が大きくより吸着特性に優れている。ゼオライトは親水性の成分物質を特に吸着するので、水のようなもので洗浄すれば、容易に吸着した成分を液体中に排出し、性能を回復することに優れている。また、洗浄して使用して使えるフィルタが上流側に位置していることで、これより下流側の集塵フィルタ部２０３の目詰まりを軽減し、混合フィルタ２０４の付加も軽減できるので、その分、集塵フィルタ２０２の寿命が長くなる。
【００２３】
図３に沿って脱臭フィルタ２０１を水で洗浄した際の、排水について説明する。
枠体２０７に排水口３０１が設けられていることで、洗浄後に脱臭フィルタ２０１を傾けることで、枠体２０７の内部に溜まっていた洗浄水が排出口３０１から排出される。これにより内部に洗浄水が溜まり難く、洗浄水が腐敗することなく雑菌を抑制できる。また、排水に伴い、内部も乾燥しやすいので乾燥時間も短縮できる。また、乾燥については、粒状の脱臭材を使用せず、粉体のゼオライトを利用していることから、表面積が格段に大きいため乾燥時間の短縮に繋がる。
【００２４】
排水口３０１は脱臭フィルタ２０１の角に位置するために、排出させ易い。また、脱臭フィルタ２０１を空気清浄機本体１０１に設置し運転しても、前パネル１０４の吸気口１１１から吸い込まれた空気は、脱臭フィルタ２０１を通過するが、排出口３０１が側面に位置しているため、風路とならないためにフィルタ機能を低下させることがない。
【００２５】
また、排出口３０１により、洗浄水が排出され易いことは、逆に洗浄の際には、水が内部に入り易く洗浄性の向上にも繋がる。
【図面の簡単な説明】
【００２６】
【図１】本発明の実施例を示すもので、空気清浄機の断面図。
【図２】本発明の実施例を示すもので、フィルタユニットの断面図。
【図３】本発明の実施例を示すもので、脱臭フィルタの詳細図。
【符号の説明】
【００２７】
１０１…空気清浄機本体、１０２…主部枠体、１０３…後部枠体、１０４…前パネル、１０５…フィルタユニット、１０６…気化フィルタ、１０７…ファンモータ、１０７ａ…ターボファン、１０７ｂ…電動機、１０８…ファンケーシング、１０９…吸い込み案内口部材、１１０…制御装置、１１１…吸気口、１１２…送風口、２０１…脱臭フィルタ、２０２…集塵フィルタ、２０３…集塵フィルタ部、２０４…混合フィルタ部、２０５…ネット、２０６…洗える脱臭部、２０７…枠体、２０８…支持体、３０１…排水口。
【図１】
2008061902.tif 000003
【図２】
2008061902.tif 000004
【図３】
2008061902.tif 000005